(57)【特許請求の範囲】
【請求項１】
内部に載置されたＬＣＤ表示装置を外部から視認可能にするための表示用開口部と、カメラ用アクセサリーを取り付けるためのアクセサリー取付部材とを有するデジタルスチルカメラにおいて、
前記ＬＣＤ表示装置を位置決めするために使用する少なくとも３箇所の位置決め片と、前記ＬＣＤ表示装置を保持する接着手段とを有する前記ＬＣＤ表示装置よりも小さな略矩形の金属製板状部材を備え、
前記板状部材は、回路基板と背面側外装カバーとの間に設けられた領域に配置され、前記アクセサリー取付部材をカメラ本体に固定しているベース部材とネジによって締結されていることを特徴とするデジタルスチルカメラ。
【請求項２】
前記アクセサリー取付部材は、カメラ天面に設けられたホットシュー及び、カメラ底面に設けられた三脚取付用ネジ穴であることを特徴とする請求項１に記載のデジタルスチルカメラ。
【請求項３】
前記接着手段は、導電性を有する両面テープであることを特徴とする請求項１又は請求項２に記載のデジタルスチルカメラ。
【発明の詳細な説明】
【技術分野】
【０００１】
本発明はデジタルスチルカメラに関し、より詳細にはカメラ本体にＬＣＤ表示装置とカメラ用アクセサリー取付部材とを有するデジタルスチルカメラに関する。
【背景技術】
【０００２】
今日、広く普及しているデジタルスチルカメラにおいて、ライブビュー時や記録した静止画像データ又は動画像データを確認するための表示手段としてＬＣＤ（Ｌｉｑｕｉｄ  Ｃｒｙｓｔａｌ  Ｄｉｓｐｌａｙ）パネルを用いた画像表示装置を有しているものが一般的になっている。
【０００３】
このようなＬＣＤ表示装置をカメラ本体内に適切に位置決めする方法が従来より提案されてきた。例えば特許文献１の構成によれば、ＬＣＤパネルと、このＬＣＤパネルを支持するＬＣＤカバーと、それらを固定するベースとなる基台とからなるＬＣＤ組立体をカメラ本体に固定された回路基板に載置し、ＬＣＤカバーに設けた支持片と回路基板とをネジ止めする。このとき、ネジは遊びを持って取り付けられており、ＬＣＤ組立体は仮位置決めの状態である。その後取り付けられる外装カバーの表示窓部の輪郭をＬＣＤパネル周縁に嵌め込むことで最終的な位置決めを行っている。
【０００４】
また、デジタルスチルカメラのような電子機器では、搭載したＬＣＤパネルの表面に発生する静電気によるＬＣＤパネルの誤表示や故障を防止する対策を施す必要がある。その対策として特許文献１では、回路基板のアース面に弾性的に押接するアース片をＬＣＤカバーに設け、そのアース片を外装カバーによって回路基板側に深く押し込むことによってＬＣＤ表示装置のアースを確保している。
【０００５】
また、カメラに搭載するＬＣＤパネルの大型化と、カメラ本体の小型化との２つの傾向により、カメラ背面側の面積に対する表示用開口部の面積が大きくカメラ背面側の強度が低下してしまう。しかし、上記の構成では、ＬＣＤ表示装置を支持しているのは回路基板であるため、表示用開口部の十分な強度を確保できず、他の手段で不足する強度を補う必要があった。
【０００６】
また、上記の構成では、ＬＣＤ表示装置を含むＬＣＤ組立体を回路基板に直接載置しているため、回路素子などの配置に関して回路基板の設計自由度を低下させることになる。
【０００７】
また、上記の構成では、ＬＣＤ表示装置の仮位置決めに使用される支持片とアースを取るために使用されるアース片とを別個に設ける必要があり、部品コストの上昇や組立工数の増加を招く恐れがあった。
【特許文献１】特開２００４−２５２１８５号公報
【発明の開示】
【発明が解決しようとする課題】
【０００８】
本発明は、上記事情に鑑みてなされたものであり、簡易な構造で回路基板の設計自由度を損なうことなく高精度なＬＣＤ表示装置の位置決め及び静電気対策が可能であり、同時にカメラの強度を十分に確保できるデジタルスチルカメラを提供することを目的とする。
【課題を解決するための手段】
【０００９】
上記目的を解決するために、本発明は、内部に載置されたＬＣＤ表示装置を外部から視認可能にするための表示用開口部と、カメラ用アクセサリーを取り付けるためのアクセサリー取付部材とを有するデジタルスチルカメラにおいて、前記ＬＣＤ表示装置を位置決めするために使用する少なくとも３箇所の位置決め片と、前記ＬＣＤ表示装置を保持する接着手段とを有する前記ＬＣＤ表示装置よりも小さな略矩形の金属製板状部材を備え、前記板状部材は、回路基板と背面側外装カバーとの間に設けられた領域に配置され、前記アクセサリー取付部材をカメラ本体に固定しているベース部材とネジによって締結した構成としたものである。
【００１０】
さらに、本発明は、上記発明において、アクセサリー取付部材として、カメラ天面に設けられたホットシューと、カメラ底面に設けられた三脚取付用ネジ穴を用いた構成としたものである。
【００１１】
さらに、本発明は、上記発明において、接着手段として、導電性を有する両面テープを用いた構成としたものである。
【発明の効果】
【００１２】
本発明によれば、簡易な構造でＬＣＤ表示装置の高精度な位置決め及び保持が可能となる。また、カメラ本体の強度を高めると同時に、外部ストロボなどのカメラ用アクセサリー取付部材の高い組み付け強度の確保及びＬＣＤ表示装置の静電気対策を行うことができる。
【００１３】
また、本発明によりカメラ本体の強度が高められるので、カバーの厚みを適切に抑えることでカメラ本体の軽量化や小型化が可能となる。
【発明を実施するための最良の形態】
【００１４】
以下、添付の図面に従って本発明を実施するための最良の形態について説明する。
【実施例】
【００１５】
図１は、本発明の一実施形態であるデジタルスチルカメラを背面側から分解し、内部の構成を示した分解斜視図である。図２はホットシュー６周辺の構成を示した分解斜視図であり、図３は三脚取付用ネジ穴２５周辺の平面図である。図４は板状部材１８周辺の構造を示した部品組立断面図である。
【００１６】
図１に示すデジタルスチルカメラは前面に沈胴式ズームレンズ１と、前面側外装ケース２ａとを備え、天面には電源釦４と、レリーズ釦５と、ホットシュー６と、ポップアップ式ストロボ７とを備えている。このレリーズ釦５を半押しすることでデジタルスチルカメラのＡＦが機能し、所望する被写体に合焦する。続いてレリーズ釦５を全押しすることであらかじめ設定された撮影モードでの撮影が行われ、メモリーカード等の不図示の記録媒体に撮影された画像データが記録される。ホットシュー６には、外部ストロボや外付けファインダー等のカメラ用アクセサリーが取り付けられ、またポップアップ式ストロボ７は、撮影時にストロボ発光が必要なときにポップアップさせ、メインコンデンサ８に蓄えられていた電荷がストロボ内の不図示の放電管に供給されて発光することによって機能する。
【００１７】
回路基板９は、その周縁部などの適宜箇所を外装カバー内側の不図示のボディーフレームの所要箇所にネジによって締結されており、カメラの制御を行う集積回路１０などの必要な回路素子が実装されている。また、回路基板９のカメラ背面側の適宜箇所には後述する金属製アース片１１が実装されている。基板右方部には操作部材として十字キー１２と、再生釦１３と、ズーム操作キー１４とが設けられている。十字キー１２は、ＵＰ釦、ＤＯＷＮ釦、ＲＩＧＨＴ釦、ＬＥＦＴ釦、そして十字キー１２の中央に位置するＯＫ釦の５つの釦で構成される。これらの釦を使用することによって、撮影モードの選択等がＬＣＤ表示装置１５上で可能となる。また、再生釦１３を操作することでカメラが再生モードに切り替わり、不図示の記録媒体に記録された画像データの確認等がＬＣＤ表示装置１５上で可能となる。さらに、ズーム操作キー１４を操作することで沈胴式ズームレンズ１をワイド側、テレ側に変倍することが可能となる。
【００１８】
ＬＣＤ表示装置１５は、撮影時のライブビューや画像データの確認等に使用され、ＬＣＤパネルと、ＬＣＤパネルの背面側から照明光を照射するバックライトと、ＬＣＤパネルの表示面以外を覆うＬＣＤフレームとで構成されている。またＬＣＤ表示装置１５からは、ＬＣＤパネルと回路基板９を接続するフレキシブルプリント基板（ＦＰＣ）１６と、バックライトに電源を供給するコネクタ付きのリード線１７とが導出している。
【００１９】
金属製の板状部材１８は、ＬＣＤ表示装置１５の位置決めを行う位置決め片１８ａを上辺端面に１個、右辺端面に２個の合計３個有しており、板状部材１８のカメラ背面側面上に導電性両面テープ１９によってＬＣＤ表示装置１５をこの位置決め片１８ａに当接した状態で接着している。この板状部材１８は図２に示すネジ受け部材２２と、図３に示す三脚ネジベース２６とに、ネジによって締結されるので、これによってカメラ本体の強度を確保すると同時に、ＬＣＤ表示装置１５の高精度な位置決めを容易に達成することができる。さらには、ＬＣＤ表示装置１５のアースを確保でき、静電気によるＬＣＤパネルの誤表示や故障を防止することができる。
【００２０】
上述した回路基板９などを覆う背面側外装ケース２ｂには、ＬＣＤ表示装置１５を外部から視認可能にするための表示用開口部２０と、上述した操作部材等を外部に挿通するための複数の操作用開口部２１とが設けられており、表示用開口部２０よりも大きなアクリル樹脂製の保護カバー３がこの開口部周囲の外側枠部に取り付けられ、ＬＣＤ表示装置１５に直接外力が加わるのを防ぐ。この背面側外装ケース２ｂは不図示の複数のネジによって、ボディーフレームに固定される。
【００２１】
図２は、ホットシュー周辺の構造を説明するための分解斜視図である。ホットシュー６は外部ストロボなどのアクセサリーと通信を行うための電気接続端子を具備しており、ネジとネジ受け部材２２によって樹脂成形された天面プレート２３に設けられた台座２４に固定されている。このネジ受け部材２２はカメラ背面側にもネジ穴を有しており、上述した板状部材１８とネジ締結されることによってホットシュー６の高い組み付け強度が得られる。
【００２２】
図３は本発明の一実施例であるデジタルスチルカメラを底面側から見た平面図であり、三脚取付用ネジ穴２５は三脚ネジベース２６にかしめられ固定されている。この三脚ネジベース２６には、三脚取付用ネジ穴２５の縁周部にネジ穴が３箇所互いに均等な間隔をもって設けられており、このネジ穴に前面側外装カバー２ａと背面側外装ケース２ｂとがネジによって締結される。またカメラ底面部には、その右方部に開閉可能な蓋体２７が具備されており、その内部にはカメラの駆動電源を供給するバッテリーパック等を収納する電源収納室と、撮影した画像データを記録するメモリーカード等を収納する記録媒体収納室とが設けられている。また、三脚ネジベース２６には上述した板状部材１８を締結するためのネジ穴も設けられており、板状部材１８とネジ締結されることによって三脚取付用ネジ穴２５の高い組み付け強度が得られる。
【００２３】
図４は板状部材１８周辺の構造を説明するための部品組立断面図であり、沈胴式ズームレンズ１の撮影光学系から取り込まれた被写体像を撮影して、その画像データを出力するＣＣＤイメージセンサやＣＭＯＳイメージセンサ等の固体撮像素子と、この固体撮像素子から出力される画像データを入力して所定の信号処理を行う信号処理部とからなる撮像素子ユニット２８が、沈胴式ズームレンズ１の光軸上に固定されている。回路基板９は背面側外装ケース２ｂの内側にあるボディーフレームに固定されており、カメラ背面側の適宜箇所に金属製のアース片１１を実装している。このアース片１１は弾性力を有する形状となっており、板状部材１８をカメラ天面に取り付けられたホットシュー６のネジ受け部材２２と、カメラ底面に取り付けられた三脚取付用ネジ穴２５の三脚ネジベース２６とに締結することでアース片１１が板状部材１８に押接され、これにより回路基板９の必要なアースを確保している。
【００２４】
以上の実施例のように、ＬＣＤ表示装置１５の位置決めに用いる複数の位置決め片１８ａを備えた板状部材１８と、ホットシュー６のネジ受け部材２２と、三脚取付用ネジ穴２５の三脚ネジベース２６とをネジによって締結するような簡易な構造で、ＬＣＤ表示装置１５の高精度の位置決め及び静電気対策と、カメラ本体の強度向上と、ホットシュー６及び三脚取付用ネジ穴２５の組み付け強度向上とを達成することができる。
【００２５】
なお、上述した実施例のデジタルスチルカメラでは接着手段として導電性の両面テープ１９を使用したが、その代わりにシリコン系接着剤等を、板状部材１８とＬＣＤ表示装置１５の背面とが当接した状態でＬＣＤ表示装置１５と板状部材１８の縁部とが重なる箇所に使用して接着した場合でも、本発明と同様の効果が得られることは明らかである。
【図面の簡単な説明】
【００２６】
【図１】本発明の一実施形態であるデジタルスチルカメラの分解斜視図である。
【図２】ホットシュー６周辺の分解斜視図である。
【図３】三脚取付用ネジ穴２５周辺の分解斜視図である。
【図４】板状部材１８周辺の部品組立断面図である。
【符号の説明】
【００２７】
１１    アース片
１５    ＬＣＤ表示装置
１８    板状部材
１８ａ  位置決め片
２２    ネジ受け部材
２６    三脚ネジベース
【図１】
0004981533.tif 000002
【図２】
0004981533.tif 000003
【図３】
0004981533.tif 000004
【図４】
0004981533.tif 000005